(57)【要約】【課題】  保守点検作業を容易にしたライン照明設備を提供する。【解決手段】  照明を必要とする空間に臨んでライン状に延びる透光窓を形成し、前記透光窓の内部に照明器具を列設状態に装着したライン照明設備であり、前記ライン状の透光窓に沿って該透光窓の内部に案内路を形成するガイドレールと、列設される多数の照明器具を相互に連結した照明器具ユニットと、前記照明器具をガイドレールに走行自在に搭載する台車と、該台車を走行せしめる走行駆動手段と、ライン照明設備の少なくとも一端側から前記案内路に連通する開口部とを備ている。照明器具ユニットは、前記走行駆動手段を介して台車を走行せしめることにより、開口部から搬入搬出可能な構成である。【選択図】  図３
2006073395.tif 000002
【特許請求の範囲】
【請求項１】
照明を必要とする空間に臨んでライン状に延びる透光窓(3)を形成し、前記透光窓の内部に照明器具(5a)を列設状態に装着したライン照明設備において、
前記ライン状の透光窓(3)に沿って該透光窓の内部に案内路(6b)を形成するガイドレール(7)と、列設される多数の照明器具(5a)(5a)を相互に連結した照明器具ユニット(5)と、前記照明器具(5a)をガイドレール(7)に走行自在に搭載する台車(9)と、該台車を走行せしめる走行駆動手段(10)と、ライン照明設備の少なくとも一端側から前記案内路(6b)に連通する開口部(16)とを備え、前記走行駆動手段(10)を介して台車(9)を走行せしめることにより、照明器具ユニット(5)を開口部(16)から搬入搬出するように構成して成ることを特徴とするライン照明設備。
【発明の詳細な説明】
【技術分野】
【０００１】
本発明は、照明を必要とする空間に臨んでライン状に延びる透光窓の内部に照明器具を列設状態に装着したライン照明設備に関するものであり、特に、照明器具の保守点検作業を容易にすることを目的とした発明に関する。
【背景技術】
【０００２】
例えば、量販店等の店内や、エスカレータ等のような照明を必要とする空間には、ライン状に延びる線上に光源を配置したライン照明設備が設けられている。このようなライン照明設備は、一般的に、天壁の内側に長く延びる溝形フレームを固設し、該溝形フレームの溝開口部により透光窓を形成しており、溝形フレームに多数の蛍光灯器具を列設状態に装着すると共に、透光窓をアクリル板等の透光板により閉鎖している。
【０００３】
この点に関して、蛍光灯器具を一列に並べて天井面に装着した装置や、蛍光灯器具をライン状に連結するための装置が提案されている。
【特許文献１】特開２００４−１２７８６２公報
【特許文献２】特開２０００−３２２９２４公報
【特許文献３】特開平１０−２２３０１５公報
【発明の開示】
【発明が解決しようとする課題】
【０００４】
従来のライン照明設備は、高所に位置する溝形フレームに多数の照明器具を個別に取付ける構成であるため、足場を移動しながら取付作業を行う必要があり、施工作業の能率が良くない。
【０００５】
それにも増して、施工後においても、照明設備は、蛍光灯等の光源の寿命や、その他から、保守点検が必要であり、その際、内部の照明器具の点検や光源の交換等を、長いラインの全長にわたり行う必要があるため、従来においては、足場を移動しながら、足場の上方の透光板の取外しによる透光窓の開閉を繰返しながら、全長にわたり全ての照明器具の保守点検を行っているのが現状であり、多大の時間と労力を要し、極めて作業効率が悪いという問題がある。
【課題を解決するための手段】
【０００６】
本発明は、ライン状に延びる透光窓の内部に設けた案内路に対して、多数の照明器具を相互に連結した照明器具ユニットとして、ライン照明設備の一端側に設けた一つの開口部から搬入・搬出することができるようにしたライン照明設備を提供するものであり、その手段として構成したところは、照明を必要とする空間に臨んでライン状に延びる透光窓を形成し、前記透光窓の内部に照明器具を列設状態に装着したライン照明設備において、前記ライン状の透光窓に沿って該透光窓の内部に案内路を形成するガイドレールと、列設される多数の照明器具を相互に連結した照明器具ユニットと、前記照明器具をガイドレールに走行自在に搭載する台車と、該台車を走行せしめる走行駆動手段と、ライン照明設備の少なくとも一端側から前記案内路に連通する開口部とを備え、前記走行駆動手段を介して台車を走行せしめることにより、照明器具ユニットを開口部から搬入搬出するように構成して成る点にある。
【発明の効果】
【０００７】
本発明によれば、多数の照明器具は、相互に連結された照明器具ユニットを構成しており、ライン状に延びる透光窓の内部の案内路に設置されている。従って、従来のライン照明設備と同様にライン状に長く延びる照明を実行する。
【０００８】
この際、案内路はガイドレールにより構成されており、照明器具ユニットを構成する個々の照明器具には台車が取付けられ、該台車を前記ガイドレールに走行自在に搭載している。そして、台車を走行せしめる走行駆動手段が設けられている。従って、走行駆動手段を介して、照明器具ユニットは、台車と共にガイドレールに沿って移動可能であり、ライン照明設備の少なくとも一端側には案内路に連通する開口部が設けられているので、照明器具ユニットは、該開口部から搬入搬出することが可能である。
【０００９】
このため、本発明によれば、多数の照明器具を列設状に連結した照明器具ユニットについて、前記開口部から外部に搬出することにより、地上等の床上で安全かつ容易に保守点検作業を行うことができるので、従来のように足場を移動しながら長時間にわたる危険かつ困難な作業を強いられることはない。
【００１０】
そして、保守点検作業を終えた後は、照明器具ユニットを開口部から案内路に搬入し、案内路における所定の位置に復帰させることができ、このような搬入作業も開口部の付近で走行駆動手段を操作することにより簡単容易に行うことができるという効果がある。
【発明を実施するための最良の形態】
【００１１】
以下図面に基づいて本発明の好ましい実施形態を詳述する。
【００１２】
（全体的構成）
図１及び図２は、本発明をエスカレータのライン照明設備として実施した例を示しており、従って、照明設備は傾斜勾配を有している。然しながら、本発明がこれに限定されないことは勿論であり、建造物の天井壁やその他、照明を必要とする空間に臨む水平な天壁におけるライン照明設備としても実施可能であることを諒解されたい。
【００１３】
図示のように、照明を必要とする空間に臨む天井壁等の天壁１から凹入する溝形フレーム２が建造物のトラス等の躯体一部（図示省略）に固設されている。溝形フレーム２は、ライン状に長く延びるように列設され、溝開口により透光窓３を形成している。尚、透光窓３はアクリル板等の透光板４により閉鎖される。
【００１４】
透光窓３の内側、即ち、溝形フレーム２の内部には、照明器具ユニット５を装備するための内部空間６ａが形成され、該内部空間６ａの上部には、ガイドレール７により案内路６ｂが形成されている。
【００１５】
照明器具ユニット５は、多数の照明器具５ａを列設状態で相互に連結しており、隣り合う個々の照明器具５ａ、５ａは、相互に屈折自在なヒンジジョイント８により連結されている。尚、図例の場合、照明器具５ａは、蛍光灯器具を構成し、蛍光灯等の光源５ｂを着脱自在に装着している。
【００１６】
個々の照明器具５ａは、両端近傍部に台車９、９を取付けており、該台車９を前記ガイドレール７に走行自在に搭載している。従って、照明器具ユニット５の一端に位置する照明器具５ａに進退走行方向の力を加えると、該ユニット５を構成する照明器具５ａの全てが一斉にガイドレール７に沿って走行する。
【００１７】
ガイドレール７の内側には、走行駆動手段１０が設けられており、走行駆動手段１０は、図示実施形態の場合、牽引手段１１を構成する。
【００１８】
図１に示すように、牽引手段１１は、ガイドレール７の内側に固着された案内パイプ１２に挿通されたロープ等の索条１３と、ガイドレール７の端部（図例の場合、傾斜勾配の上り側の端部）に設けられたプーリ１４により構成されており、索条１３をプーリ１４に巻掛けることにより折返した状態で、端部に位置する照明器具５ａ（（図例の場合、傾斜勾配の上り側の先頭の照明器具５ａ）に索条１３の先端１３ａを連結している。尚、索条１３の尾端部１３ｂは、図２に示すように、案内パイプ１２の端部から挿出され、天壁１の内部空間に格納され、巻取装置１５に巻取られている。
【００１９】
図２に示すように、ライン照明設備の一端側（傾斜勾配の下り側の端部近傍）の天壁１には、前記案内路６ｂに連通する開口部１６が設けられ、開閉自在な蓋壁１７により施蓋されている。
【００２０】
（作用）
上記構成によれば、多数の照明器具５ａは、相互にヒンジジョイント８により連結された照明器具ユニット５を構成し、個々の照明器具５ａを台車９を介してガイドレール７に走行自在に搭載されている。従って、図示実施形態のようなエスカレータ用のライン照明設備の場合、ガイドレール７が開口部１５に向けて下降傾斜する勾配を有するので、照明器具ユニット５は、走行駆動手段１０を構成する牽引手段１１の索条１３を緩めることにより、自重を介して下降方向に自走可能である一方、該索条１３を牽引することにより、上昇方向に走行可能である。
【００２１】
このように、照明器具ユニット５は、ガイドレール７に沿って下降方向に自走可能であるが、図１及び図２に示すように案内路６ａに内装された状態において、索条１３の尾端部１３ｂが巻取装置１５に巻取られているので、自走することなく停止状態で保持されている。尚、図２に示すように、案内路６ｂの尾端（傾斜勾配の下り側の端部）は、開閉自在な閉止板１８により閉鎖ロックされており、従って、万一、索条１３の尾端部１３ｂが緩められたり、索条１３が伸長した場合でも、照明器具ユニット５が不慮に下降方向に移動することを防止する。
【００２２】
そこで、図３に示すように、開口部１６を開放すると共に、閉止板１８を開放した状態で、走行駆動手段１０を操作することにより、照明器具ユニット５は、案内路６ｂから開口部１６を介して外部に搬出することができ、或いは、外部から開口部１６を介して案内路６ｂに向けて搬入することができる。
【００２３】
保守点検等のために照明器具ユニット５を案内路６ｂから外部に搬出するに際しては、走行駆動手段１０を構成する牽引手段１１の索条１３を繰り出せば、照明器具ユニット５は、自重によりガイドレール７に沿って自走しながら開口部１６の下方に搬出される。このとき、図３に矢印で示すように、照明器具ユニット５が下降方向Ｄ１に向けて走行すると、索条１３の尾端部１３ｂが上昇方向Ｕ１に向けて牽引されるので、作業者は、索条１３の尾端部１３ｂの繰り出しを制御することにより、照明器具ユニット５の自走速度を調整することができる。尚、照明器具ユニット５を構成する照明器具５ａは、相互にヒンジジョイント８により横軸回りに屈折可能に連結されているので、開口部１６が狭い場合でも好適に搬出することができる。
【００２４】
保守点検等を終えた後、照明器具ユニット５を案内路６ｂに向けて搬入する場合は、索条１３を下降方向Ｄ２に向けて牽引すれば、照明器具ユニット５は、ガイドレール７に沿って走行しながら案内路６ｂに装入される。装入後は、前述のように、索条１３の尾端部１３ｂを巻取装置１５に巻取り固定すると共に、案内路６ｂの尾端を閉止板１８により閉鎖ロックした後、開口部１６を開閉蓋１７により施蓋すれば良い。
【００２５】
図例の場合、巻取装置１５は、索条１３の尾端部１３ａを巻き付けるロッド等により構成されているが、ラチェット式のウインチ等の回転式巻取手段により構成しても良い。また、本発明のライン照明装置は、図示のような傾斜勾配を有するエスカレータ用とする他に、水平な天壁の内部に設けられる汎用のライン照明設備としても実施可能なことは勿論であり、この場合、走行駆動手段１０は、照明器具ユニット５を搬出方向と搬入方向の両方向に牽引走行させるように構成することができ、更には、索条等を使用した牽引手段１１による構成の他、遠隔操作可能な電動モータ等により構成しても良い。
【００２６】
（案内路等の具体的構成）
図４及び図５に示すように、上述した溝形フレーム２は、透光窓３の両側にスカート状に広がる化粧板１９、１９を連設しており、該化粧板１９を介して天壁１に連なる翼壁２０を延設している。そして、透光窓３を閉鎖する透光板４は、断面下向きに円弧状に膨出するように形成されており、これにより化粧板１９、１９の間で広がる散乱光の透過を可能としている。
【００２７】
上述したガイドレール７は、下向きの溝開口を有する溝形部材７ａにより構成されており、上壁を溝形フレーム７の上壁にビス等の固着手段２１により固着され、内部に案内路６ｂを形成する。該案内路６ｂに装入された案内パイプ１２は、取付金具２２を介してビス等の固着手段２３により上壁に固着されている。ガイドレール７の溝開口の両側には、相対向する一対のレール部７ｂ、７ｂが形成されており、該レール部７ｂには溝開口に沿うガイド縁２４が折曲起立せしめられている。
【００２８】
上述した台車９は、上向きの溝形部９ａの両側に翼部２５、２５を延設し、車輪２６を軸支するブラケット２７を翼部２５の下面にビス等の固着手段２８により固着している。尚、溝形部９ａの下面に照明器具５ａが固着される。
【００２９】
このように図示の実施形態において、台車９は、左右一対の車輪２７、２７を一対のレール部７ｂ、７ｂに搭載され、照明器具５ａを吊持した状態でガイドレール７に沿って走行自在とされている。然しながら、本発明がこのような構成に限定されないことは勿論であり、例えば、モノレール状の台車９を構成しても良い。
【００３０】
（照明器具の具体的構成）
図６（Ａ）に示すように、上述した照明器具５ａは、器具本体２９の両端部に線対称に表される細幅の連結部３０ａ、３０ｂを形成しており、連結部３０ａ、３０ｂの先端を結ぶ対角線上に蛍光灯から成る光源５ｂを着脱自在に装着するように構成されている。
【００３１】
そこで、図６（Ｂ）に示すように、列設される一方の照明器具５ａの尾端側の連結部３０ａと、他方の照明器具５ａの先端側の連結部３０ｂには、上述したヒンジジョイント８を構成するピン８ａとスリーブ８ｂが設けられており、ピン８ａをスリーブ８ｂに回動自在に挿入することにより、隣接する照明器具５ａ、５ａを横軸回りに屈折自在となるように連結され、しかも、隣り合う照明器具５ａ、５ａが光源５ｂ、５ｂを相互にオーバラップした状態で連結される。
【００３２】
尚、本発明において、光源５ｂは、必ずしも蛍光灯に限定されるものではなく、電球や発光ダイオード等を採用しても良い。また、ヒンジジョイント８は、横軸回りに屈折自在な連結構造とする他、必要に応じて、縦軸回りに屈折自在な連結構造としても良く、更には、自由な方向に屈折自在なユニバーサルジョイント構造としても良い。
【００３３】
（走行駆動手段の具体的構成）
図７に示すように、上述した走行駆動手段１０を構成する牽引手段１１は、ガイドレール７の端部に装着されるカバー部材３１を備えており、プーリ１４を軸支した筒状のハウジング３２をカバー部材３１に固着している。カバー部材３１は、ガイドレール７の端部に装着された状態で該ガイドレール７の側部に固着される耳片３１ａを設けている。
【００３４】
そこで、案内パイプ１２から挿出された索条１３の先端部１３ａは、プーリ１４に巻掛され折返された状態で、該索条１３の先端に設けたフック又は環等から成る係止片３３を照明器具５ａのピン等から成る被係止片３４に係止される。
【００３５】
尚、本発明の走行駆動手段１０が図示の実施形態に限定されないことは上述の通りであり、要するに、ガイドレール７に沿って台車９を走行せしめるための駆動手段を構成するものであれば良い。
【図面の簡単な説明】
【００３６】
【図１】本発明の１実施形態に係るライン照明設備の上昇端側を示す断面図である。
【図２】本発明の１実施形態に係るライン照明設備の下降端側を示す断面図である。
【図３】本発明の１実施形態に係るライン照明設備の作用を示しており、下降端側を示す断面図である。
【図４】本発明の１実施形態に係るライン照明設備を一部破断状態で示す断面図である。
【図５】本発明の１実施形態に係るライン照明設備の縦断面図である。
【図６】本発明の１実施形態に係るライン照明設備における照明器具を示しており、（Ａ）は照明器具を示す斜視図、（Ｂ）はヒンジジョイントを示す斜視図である。
【図７】本発明の１実施形態に係るライン照明設備における走行駆動手段とプーリと照明器具の関係を示す斜視図である。
【符号の説明】
【００３７】
２    溝形フレーム
３    透光窓
４    透光板
５    照明器具ユニット
５ａ  照明器具
６ｂ  案内路
７    ガイドレール
８    ヒンジジョイント
９    台車
１０    走行駆動手段
１１    牽引手段
１２    案内パイプ
１３    索条
１４    プーリ
１５    巻取装置
１６    開口部
１７    開閉蓋
【図１】
2006073395.tif 000003
【図２】
2006073395.tif 000004
【図３】
2006073395.tif 000005
【図４】
2006073395.tif 000006
【図５】
2006073395.tif 000007
【図６】
2006073395.tif 000008
【図７】
2006073395.tif 000009